(57)【要約】  本発明は、花粉及び／又は微生物の局所濃度を示す局所粒子濃度を推定するための装置及び方法、ならびに領域の粒子濃度マップを作成又は改善するための装置及び方法に関する。分解能と精度を高め、ユーザの暴露の追跡とモニタリングを可能にするために、実際の位置（３３）を含む領域（３０）の粒子濃度マップ（４０、４０’）が使用され、クラウドソーシングによって生成され、改善される。〔選択図〕  図１
2020503529.tif 000002
【特許請求の範囲】
【請求項１】
実際の位置における花粉及び／又は微生物の局所濃度を示す局所粒子濃度を推定する方法であって、
１つ以上の粒子計数位置における最近の粒子数を示す粒子数情報を受信することと、
前記実際の位置を含む領域の粒子濃度マップを受信又は生成することであって、前記粒子濃度マップは、前記領域の複数のサブ領域のサブ領域ごとの１つ以上の粒子計数位置における粒子数に対する前記サブ領域における前記粒子濃度を示す相対粒子濃度情報を含む、受信又は生成することと、
前記実際の位置が置かれた前記サブ領域を決定することと、
前記決定されたサブ領域の前記相対粒子濃度情報及び前記受信した粒子数情報に基づいて、前記実際の位置における前記局所粒子濃度を決定することと、
を含む、方法。
【請求項２】
前記実際の位置における前記局所粒子濃度は、前記決定されたサブ領域の前記相対粒子濃度情報及び前記実際の位置に最も近い前記粒子計数位置における前記受信した粒子数情報に基づいて決定される、請求項１に記載の方法。
【請求項３】
前記実際の位置における前記局所粒子濃度は、前記決定されたサブ領域の前記相対粒子濃度情報に基づいて、前記実際の位置に最も近い前記粒子計数位置において前記受信した粒子数情報によって示される前記粒子数を外挿することにより決定される、請求項２に記載の方法。
【請求項４】
前記実際の位置における前記局所粒子濃度は、前記決定されたサブ領域の前記相対粒子濃度情報及び前記実際の位置に最も近い２つ以上の粒子計数位置における前記受信した粒子数情報に基づいて決定される、請求項１に記載の方法。
【請求項５】
前記実際の位置における前記局所粒子濃度は、前記粒子計数位置のそれぞれに関して、前記決定されたサブ領域の前記相対粒子濃度情報それぞれに基づいて、粒子計数位置ごとに、前記受信した粒子数情報によって示される前記粒子数を外挿し、前記外挿された粒子数を平均化、特に、前記外挿された粒子数を平均化又は加重平均化することによって、決定される、請求項４に記載の方法。
【請求項６】
前記粒子濃度マップは、前記領域の複数のサブ領域のサブ領域ごとに、１つ以上の粒子計数位置における粒子数からの、前記サブ領域における前記粒子濃度の絶対的又は相対的な偏差を示す相対粒子濃度情報を含む、請求項１に記載の方法。
【請求項７】
前記粒子濃度マップは、年にわたる異なる時間、特に異なる週及び／又は日及び／又は時間に対する相対粒子濃度情報を含む、請求項１に記載の方法。
【請求項８】
前記粒子濃度マップは、異なる種類の粒子に対する相対粒子濃度情報を含む、請求項１に記載の方法。
【請求項９】
時間当たりの種々の領域における典型的な粒子濃度を示す粒子カレンダー情報を受信することをさらに含み、
前記実際の位置における前記局所粒子濃度は、前記決定されたサブ領域の前記相対粒子濃度情報、前記受信した粒子数情報及び前記決定されたサブ領域における前記受信した粒子カレンダー情報に基づいて決定される、請求項１に記載の方法。
【請求項１０】
前記実際の位置における前記粒子数を示す局所粒子数情報を測定又は受信することをさらに含み、
前記粒子濃度マップは、前記局所粒子数情報及び１つ以上の粒子計数位置における最近の粒子数を示す前記受信した粒子数情報に基づいて生成又は改善され、請求項１に記載の方法。
【請求項１１】
花粉及び／又は微生物の濃度を示す領域の粒子濃度マップを生成又は改善する方法であって、
実際の位置における粒子数を示す局所粒子数情報を測定及び／又は受信することと、
１つ以上の粒子計数位置における最近の粒子数を示す粒子数情報を受信することと、
前記実際の位置を含む領域の粒子濃度マップを生成又は改善することであって、前記粒子濃度マップは、前記領域の複数のサブ領域のサブ領域ごとに、１つ以上の粒子計数位置における粒子数に対する前記サブ領域における前記粒子濃度を示す相対粒子濃度情報を含み、前記粒子濃度マップは、前記局所粒子数情報及び前記受信した粒子数情報に基づいて生成又は改善される、生成又は改善することと、
を含む、方法。
【請求項１２】
１つ以上のさらなる位置における前記粒子数を示すさらなる局所粒子数情報が測定及び／又は受信されることであって、前記さらなる局所粒子数情報は、前記局所粒子数情報のそれぞれの測定の前記位置を示す位置情報を含み、前記さらなる局所粒子数情報は、前記粒子濃度マップの作成及び／又は改善に使用される、請求項１１に記載の方法。
【請求項１３】
実際の位置における花粉及び／又は微生物の局所濃度を示す局所粒子濃度を推定するための装置であって、
１つ以上の粒子計数位置における最近の粒子数を示す粒子数情報を受信するための粒子数情報入力と、
前記実際の位置を含む領域の粒子濃度マップを受信又は生成するための粒子濃度マップ・ユニットであって、前記粒子濃度マップは、前記領域の複数のサブ領域のサブ領域ごとの、１つ以上の粒子計数位置における粒子数に対する前記サブ領域における前記粒子濃度を示す相対粒子濃度情報を含む、粒子濃度マップ・ユニットと、
前記実際の位置が置かれる前記サブ領域を決定するためのサブ領域決定ユニットと、
前記決定されたサブ領域の前記相対粒子濃度情報及び前記受信した粒子数情報に基づいて、前記実際の位置における前記局所粒子濃度を決定する粒子濃度決定ユニットと、
を含む装置。
【請求項１４】
花粉及び／又は微生物の濃度を示す領域の粒子濃度マップを作成又は改善するための装置であって、
実際の位置における粒子数を示す局所粒子数情報を測定及び／又は受信するための局所粒子数情報ユニットと、
１つ以上の粒子計数位置における最近の粒子数を示す粒子数情報を受信するための粒子数情報入力と、
前記実際の位置を含む領域の粒子濃度マップを作成又は改善するための粒子濃度マップ処理ユニットであって、前記粒子濃度マップは、前記領域の複数のサブ領域のサブ領域ごとの、１つ以上の粒子計数位置における粒子数に対する前記サブ領域における前記粒子濃度を示す相対粒子濃度情報を含み、前記粒子濃度マップは、前記局所粒子数情報及び前記受信した粒子数情報に基づいて生成又は改善される、粒子濃度マップ処理ユニットと、
を含む装置。
【請求項１５】
コンピュータ・プログラムがコンピュータ上で実行されるとき、前記コンピュータに請求項１又は１１に記載の方法のステップを実行させるプログラム・コード手段を備える、コンピュータ・プログラム。
【発明の詳細な説明】
【技術分野】
【０００１】
本発明は、花粉（ｐｏｌｌｅｎ）及び／又は微生物（ｍｉｃｒｏｏｒｇａｎｉｓｍｓ）の局所濃度を示す実際の位置における局所粒子濃度（ｌｏｃａｌ  ｐａｒｔｉｃｌｅ  ｃｏｎｃｅｎｔｒａｔｉｏｎ）を推定する方法及び装置に関する。さらに、本発明は、花粉及び／又は微生物の濃度を示す領域の粒子濃度マップ（ｐａｒｔｉｃｌｅ  ｃｏｎｃｅｎｔｒａｔｉｏｎ  ｍａｐ）を作成又は改善する方法及び装置に関する。
【背景技術】
【０００２】
花粉はアレルギーの重要な要因を代表する。また、これは、喘息などの慢性呼吸器疾患を悪化させることもある。そのため、花粉濃度を定量化し、病気になったグループに対してこれらのデータを利用できるようにすることが強く求められている。ｐｏｌｌｅｎ．ｃｏｍのようなウェブサイトは、専門の監視ステーション（本明細書では「粒子計数位置（ｐａｒｔｉｃｌｅ  ｃｏｕｎｔ  ｌｏｃａｔｉｏｎｓ）」とも呼ばれる）から受信する花粉データを公表することにより、このサービスを提供する。これらの花粉数は、通常、大気から花粉を収集することによって取得し（例えば、２４時間にわたって）、その後、試料を計数し、顕微鏡下で分析することによって得られる。大気中の花粉濃度は通常きわめて低いので（表１に示すように、すでに２０粒子／ｍ３の濃度は、ＮＡＢスケールによると草花粉の「高」と考えられている）、監視ステーションは、専門の設備を使って花粉を基材に固定して予備濃縮する。
【０００３】
このような大気中の花粉数が報告されている場合、通常、１つの監視ステーションが都市又は地域全体にサービスを提供している。従って、これらのステーションの空間的カバレッジはそれほど高くない。さらに、空気中の花粉濃度は、その場所によって大きく異なる。従って、これらの公表されたデータは、より広い領域の１日の花粉レベルについての大まかな目安を与えるにすぎず、特定の被験者の実際の暴露（ｅｘｐｏｓｕｒｅ）を表しているわけではない。開示された個人暴露追跡は、この問題を克服するであろう。しかし、花粉センサは、特に家庭用ではほとんど存在せず、既存の花粉センサは、複雑な装置アーキテクチャを有し、比較的大きなサイズを有する。
【０００４】
同様の考え方は、例えば水中に存在する微生物の検出とモニタリング、例えば水の微生物学的純度（ｍｉｃｒｏｂｉｏｌｏｇｉｃａｌ  ｐｕｒｉｔｙ）の測定、調査した水中に存在する微生物が潜在的に有害であるかどうか、あるいは例えば病院における空気、液体及び表面の微生物学的純度の調査にも有効である。
【発明の概要】
【発明が解決しようとする課題】
【０００５】
本発明の目的は、高空間分解能及び高精度で、かつ低コストで、花粉及び／又は微生物の局所濃度を示す局所粒子濃度を推定する方法及び装置を提供することである。
【０００６】
本発明の目的は、高空間分解能及び高精度で、かつ低コストで、花粉及び／又は微生物の濃度を示す領域の粒子濃度マップを作成又は改善する方法及び装置を提供することである。本方法は、本方法の異なるステップが処理ユニットによって実行されるコンピュータ実施方法であってもよい。
【課題を解決するための手段】
【０００７】
本発明の第１の態様では、実際の位置における局所粒子濃度を推定する方法が提示され、
１つ以上の粒子計数位置における最近の粒子数を示す粒子数情報を受信することと、
前記実際の位置を含む領域の粒子濃度マップ、例えば、領域のデジタル粒子濃度マップ、を受信又は生成することであって、前記粒子濃度マップは、前記領域の複数のサブ領域のサブ領域ごとの１つ以上の粒子計数位置における粒子数に対する前記サブ領域における前記粒子濃度を示す相対粒子濃度情報を含む、受信又は生成することと、
前記実際の位置が置かれた前記サブ領域を決定することと、
前記決定されたサブ領域の前記相対粒子濃度情報及び前記受信した粒子数情報に基づいて、前記実際の位置における前記局所粒子濃度を決定することと、
を含む。
【０００８】
本発明の一実施形態によれば、この方法は、実際の位置、例えば、自身のスマートフォン上でこの方法を実行するユーザの位置に関する位置データを受信又は生成するステップを含むことができる。
【０００９】
粒子数情報（ｐａｒｔｉｃｌｅ  ｃｏｕｎｔ  ｉｎｆｏｒｍａｔｉｏｎ）は、有線又は無線で受信することができる。例えば、粒子数情報は、無線又は有線のデータ転送コンポーネント又はチップによって受信される。その後、粒子数情報はプロセッサに転送される。粒子数情報は、異なる位置に配置された花粉検知ステーションのような粒子計数ステーションから得ることができる。また、情報は複数のユーザ、例えばクラウドソース化されたデータからも得られる。粒子数情報は、１つ以上の位置における粒子の量に関する情報を含む。その後、プロセッサは、粒子数情報を処理し、領域の粒子濃度マップを生成する。この粒子濃度マップは、領域の種々のサブ領域（ｓｕｂ−ｒｅｇｉｏｎ）の粒子数情報を含む。各サブ領域は、領域の特定の領域をカバーする。すべてのサブ領域が完全な領域をカバーしている。特定のサブ領域における粒子数は、他のサブ領域との差として定義される。従って、粒子濃度マップは、サブ領域ごとに、１つ以上の粒子計数位置における粒子数に対するサブ領域における粒子濃度を示す相対粒子濃度情報を含む。さらに、実際の位置は、例えば、ＧＰＳに基づく技術を介して又はＩＰアドレス位置決め技術を介して、実際の位置を決定することによって、方法自体内で決定されてもよい。実際の位置が決定又は受信されると、実際の位置に関連するサブ領域はプロセッサを用いて識別される。サブ領域が識別されると、プロセッサは、識別されたサブ領域の相対粒子濃度情報及び受信した粒子数情報を用いて、実際の位置における粒子濃度を決定する。
【００１０】
本発明のさらなる態様において、領域の粒子濃度マップを生成又は改善する方法が提示され、
実際の位置における粒子数を示す局所粒子数情報、例えば、デジタル局所粒子数情報又はデータ、を測定及び／又は受信することと、
１つ以上の粒子計数位置における最近の粒子数を示す粒子数情報を受信することと、
前記実際の位置を含む領域の粒子濃度マップを生成又は改善することであって、前記粒子濃度マップは、前記領域の複数のサブ領域のサブ領域ごとの、１つ以上の粒子計数位置における粒子数に対する前記サブ領域における前記粒子濃度を示し、前記粒子濃度マップは、前記局所粒子数情報及び前記受信した粒子数情報に基づいて生成又は改善される、生成又は改善することと、
を含む。
【００１１】
領域の粒子濃度マップを生成又は改善する方法は、異なるステップが装置の１つ以上のプロセッサによって実行されるコンピュータ実施方法であってもよい。例えば、この方法は、スマートフォン上で動作するアプリなどのソフトウェアであってもよい。この方法の種々のステップは、ソフトウェアが実行されている装置のプロセッサによって実行されてもよい。
【００１２】
局所粒子数情報の測定は、粒子計数器／センサによって行われてもよい。このような計数器／センサは、本方法を実装する装置の一部であってもよい。情報の受信は、この方法を実装する装置の一部であり得るデータ転送コンポーネント／チップを用いて行うことができる。１つ以上の粒子計数位置における最近の粒子数を示す粒子数情報を受信することは、方法を実装する装置のデータ転送コンポーネント／チップによって行われてもよい。実際の位置を含む領域の粒子濃度マップを生成又は改善することは、本方法を実装する装置のプロセッサによって行われてもよい。この方法は、例えば、ＧＰＳチップ又はＩＰアドレス位置探索技術を用いて、実際の位置に関連するデータを受信又は生成するステップを含んでもよい。
【００１３】
本発明のさらに別の態様では、対応する装置と、コンピュータ上で実行されるときに、コンピュータに本明細書に開示される方法のステップを実行させるプログラム・コード手段を含むコンピュータ・プログラムと、プロセッサによって実行されるとき、本明細書に開示される方法を実行させるコンピュータ・プログラム製品をその中に記憶する非一時的コンピュータ読取可能記録媒体とが提供される。
【００１４】
本発明の好ましい実施形態は、従属請求項において定義される。すべての請求された方法、装置、コンピュータ・プログラム及び媒体は、請求された方法の従属請求項において定義され、かつ、本明細書に開示されているように、類似及び／又は同一の好ましい実施形態を有することを理解されたい。
【００１５】
本発明は、クラウドソーシングに基づく花粉及び／又は微生物の測定、ならびにサンプリング中に取得された位置データ（例えば、ＧＰＳから）を用いて、付加的なハード及び／又はソフトウェアに対する多大なコストを伴わずに、空間分解能のさらなる増加、データの精度、及び精度の表示のような多くの追加の利点を実現するデジタル・ソリューションを提供するという考えに基づく。いったん利用可能になると、そのようなデータは、例えば、実際の暴露及び暴露を低減／回避することに関するユーザの貴重な情報を提供することによって、喘息及びアレルギー管理のための既存及び将来の装置、方法又はコンピュータ・プログラム（「アプリ（ａｐｐ）など」）を改善するために利用することができる。
【００１６】
１つ以上の位置からの粒子数情報に基づいて、領域のサブ領域ごとの相対粒子濃度情報を含む領域の粒子濃度マップが生成され、それにより、サブ領域における粒子濃度は、１つ以上の粒子計数位置における粒子数に対して相対的である。相対粒子数情報を含むこのような粒子濃度マップの利点は、１つのサブ領域からの粒子数情報が受信されるとき、他のサブ領域からの粒子数情報は、それらの他のサブ領域から粒子数情報を読み出す必要なしに、自動的に更新されることである。相対粒子数情報は、特定のサブ領域における粒子数を推定するために使用される。この技術は、粒子濃度マップ中の異なるサブ領域の粒子数情報を高速に更新することを可能にし、これらのすべてのサブ領域の粒子数情報データを大量に処理又は読み出す必要はない。これにより、ユーザに提示されるデータの精度が向上する。まだ更新された粒子濃度マップを提供することができる間、より少ない粒子数データを読み出せばよく、また、より少ない粒子数データを処理すればよいので、この方法は、この方法を実装する装置の電力消費を低減もする。さらに、それは、１つ以上の位置からの粒子数情報が読み出されるたびに更新される領域の粒子濃度マップを提供する非常に効率的かつ迅速なやり方をユーザに提供する。
【００１７】
一般に、実際の位置における局所粒子濃度は、実際の位置が置かれる決定されたサブ領域の相対粒子濃度情報と、１つ以上の粒子計数位置（例えば、専門的な監視ステーション、「ベンチマーク位置」とも呼ばれる）における最近の粒子数（「ベンチマーク・カウント」とも呼ばれる）を示す受信した粒子数情報とに基づく。一実施形態では、実際の位置における局所粒子濃度は、決定されたサブ領域の相対粒子濃度情報及び実際の位置に最も近い粒子計数位置における受信した粒子数情報に基づいて決定され、すなわち、単一の粒子数情報のみ、すなわち、実際の位置に最も近い粒子計数位置からの情報が使用される。
【００１８】
実際の位置における局所粒子濃度は、決定されたサブ領域の相対粒子濃度情報に基づいて、実際の位置に最も近い粒子計数位置で受信した粒子数情報によって示される粒子数を外挿することにより決定することができ、これは、実際の位置における局所粒子濃度を決定する簡単な方法を提供する。
【００１９】
別の実施形態では、実際の位置における局所粒子濃度は、決定されたサブ領域の相対粒子濃度情報及び実際の位置に最も近い２つ以上の粒子計数位置における受信した粒子数情報に基づいて決定される。例えば、粒子計数位置ごとに、予備的な局所粒子濃度が形成されてもよく、そこから最終的な局所粒子濃度を表す平均が計算される。
【００２０】
これによって、簡単なやり方で、実際の位置における局所粒子濃度は、個々の粒子計数位置ごとに、個々の粒子計数位置に関する決定されたサブ領域の相対粒子濃度情報のそれぞれに基づいて、受信した粒子数情報によって示される粒子数を外挿することにより、また、外挿された粒子数を平均化することによって、特に、外挿された粒子数を平均化又は加重平均化することによって、決定することができる。
【００２１】
粒子濃度マップは、領域の複数のサブ領域のサブ領域ごとに、絶対的又は相対的に、１つ以上の粒子計数位置における粒子数からのサブ領域における粒子濃度の偏差を示す相対粒子濃度情報を含み得る。従って、ユーザの局所位置が粒子濃度マップでカバーされる完全な領域の任意のサブ領域に属する限り、１つ以上の粒子計数位置からの少なくとも１つの粒子数が既知であるならば、局所粒子濃度を容易に決定することができる。
【００２２】
特定の濃度は、経時的に変化するので、例えば、空気中の花粉の量は、年の季節と共に、またある季節においては毎日でも変化するので、一実施形態では、粒子濃度マップは、年にわたって、異なる時間、特に異なる週及び／又は日及び／又は時間についての相対粒子濃度情報を含んでもよい。
【００２３】
別の実施形態では、粒子濃度マップは、異なる種類の粒子、例えば、異なる種類の花粉についての相対粒子濃度情報を含んでもよく、それにより、ユーザは、所望の種類の粒子を選択することができ、それに対して、局所粒子濃度を決定するか、又は様々な種類の局所粒子濃度を決定することができる。
【００２４】
本方法は、時間当たりの種々の領域における典型的な粒子濃度を示す粒子カレンダー情報を受信するステップをさらに含むことができ、ここで、実際の位置における局所粒子濃度は、決定されたサブ領域の相対粒子濃度情報、受信した粒子数情報及び決定されたサブ領域における受信した粒子カレンダー情報に基づいて決定される。これにより、局所粒子濃度の精度がさらに向上する。
【００２５】
さらに別の実施形態では、本方法は、実際の位置における粒子数を示す局所粒子数情報を測定又は受信するステップをさらに含んでもよく、ここで、粒子濃度マップは、局所粒子数情報及び１つ以上の粒子計数位置における最近の粒子数を示す受信した粒子数情報に基づいて生成又は改善される。従って、本方法のユーザは、他のユーザと共有することさえできる粒子濃度マップをさらに改善又は更新することさえできる。
【００２６】
本発明の別の態様によれば、花粉及び／又は微生物の濃度を示す領域の粒子濃度マップを作成又は改善する方法が提示される。前記方法は、実際の位置における粒子数を示す局所粒子数情報及び１つ以上の粒子計数位置における最近の粒子数を示す粒子数情報を用いて、粒子濃度マップを生成又は改善する。この方法は、一実施形態では、特に、粒子濃度マップの精度及び分解能に関して、さらに改善することができ、この一実施形態では、１つ以上のさらなる位置における花粉数を示すさらなる局所粒子数情報が測定及び／又は受信され、さらなる局所粒子数情報は、局所粒子数情報のぞれぞれの測定の位置を示す位置情報を含み、さらなる局所粒子数情報は、粒子濃度マップの作成及び／又は改善に用いられる。
【００２７】
本発明は、ハード及び／又はソフトウェア、例えばＰＣ、ラップトップ、タブレット、スマートフォン、スマート・ウォッチなどの電子ユーザ装置のためのアプリケーション・プログラムの形式で実装することができる。
【００２８】
別の態様によれば、本発明は、位置における粒子濃度を推定する方法及び装置に関し、
複数の位置から粒子濃度情報を受信することと、
前記受信した粒子濃度情報を用いて領域の粒子濃度マップを作成することと、
位置を受信することと、
前記粒子濃度マップから前記受信位置における粒子濃度を決定することと、
を含み、
ベンチマーク位置からベンチマーク粒子濃度情報を受信することを特徴とし、
前記粒子濃度マップは、前記ベンチマーク粒子濃度情報に対する前記粒子濃度情報を用いて作成し、
前記領域の前記粒子濃度マップは、新しいベンチマーク粒子数情報を受信したときに更新され、
前記受信位置における前記粒子濃度は、最新の更新された粒子濃度マップを用いて決定される。
【００２９】
ここで、各位置の値をベンチマーク位置の値に正規化することにより、粒子濃度マップを相対値マップに変換することにより、粒子濃度マップを作成し、各位置の粒子濃度をベンチマーク位置の濃度のパーセンテージとして表すことができる。
【００３０】
さらに、ベンチマーク位置からベンチマーク粒子濃度情報を受信し、対応するパーセンテージ及び更新されたベンチマーク値から各ターゲット位置の濃度値を導出することによって更新された濃度マップを作成することによって、領域の粒子濃度マップは、更新され得る。
【図面の簡単な説明】
【００３１】
本発明のこれらの態様及び他の態様は、以下に記載される実施形態から明らかであり、それらを参照して説明される。以下の図面において
【図１】本発明による局所粒子濃度を推定するための装置の概略図である。
【図２】ユーザの位置及びいくつかの粒子計数位置を示す領域を説明する図である。
【図３】本発明による粒子濃度マップの第１の実施形態を示す図である。
【図４】図３に示す粒子濃度マップに基づいた実測値で満たされた領域のマップを示す。
【図５】本発明による粒子濃度マップの第２の実施形態を示す図である。
【図６】本発明による領域の粒子濃度マップを作成又は改善する装置の概略図である。
【図７】本発明の態様を実行する種々の装置を含むシステムの概略図を示す。
【発明を実施するための形態】
【００３２】
本発明の種々の実施形態の詳細を説明する前に、本発明の態様を実行する種々の装置を含む例示的なシステムの一般的なレイアウトを図７によって説明する。システム１は、スマートフォン、タブレット、スマート・ウォッチ、又はユーザ装置２の実際の位置における局所粒子濃度を推定するための専用装置などのユーザ装置２を含む。システム１はさらに、例えばコンピュータネットワーク、インターネット、通信ネットワークなどのネットワーク４を介してユーザ装置２によってアクセス可能なサーバなどの遠隔装置３を含む。システム１は、さらに、業務用粒子数測定ステーションのような、１つ以上の粒子計数位置５、６（「ベンチマーク位置」とも呼ばれる）を含む。さらに、多くのさらなるユーザ装置７、８が、システム１の一部であってもよい。
【００３３】
ユーザ装置２の実際の位置における粒子濃度は、遠隔装置３内、ユーザ装置２内、又は両方の装置で一般的に推定することができ、ここで、両方の装置２及び３は、推定に必要なステップのそれぞれの部分を実行する。ユーザ装置２の実際の位置における粒子濃度の推定に使用される粒子濃度マップは、遠隔装置３内、ユーザ装置２内、又は両方の装置で一般的に生成されてもよく、ここで、装置２及び３は両方とも、推定に必要なステップのそれぞれの部分を実行する。起こりうるシナリオでは、粒子濃度マップは遠隔装置３内で生成及び更新され、また、ユーザ装置２の実際の位置における粒子濃度は遠隔装置３内で推定される。
【００３４】
図１〜図３を用いて、本発明の第１の態様について説明する。図１は、本発明による局所粒子濃度を推定するための装置１０の概略図であり、本実施例におけるユーザ装置２の一実施形態を示す。図２は、ユーザの位置及びいくつかの粒子計数位置を示す領域３０を説明する図である。図３は、本発明による粒子濃度マップ４０の第１の実施例を示す。
【００３５】
装置１０は、専門の粒子監視ステーション、例えば花粉計数ステーションであってもよい１以上の（この例では２つの）粒子計数位置３１、３２（「ベンチマーク位置」とも呼ばれる）における最近の粒子数を示す粒子数情報２１を受信するための、粒子数情報入力１１、例えば無線データ・インターフェースを含む。
【００３６】
装置１０は、さらに、実際の位置３３、すなわち装置１０が現在置かれている位置を含む領域３０の粒子濃度マップ４０を受信又は生成するための、粒子濃度マップ・ユニット１２、例えばデータ・インターフェース又はプロセッサを含む。前記粒子濃度マップ４０は、領域３０の複数のサブ領域３４のサブ領域ごとに、１つ以上の粒子計数位置３１、３２における粒子数に対するサブ領域における粒子濃度を示す相対粒子濃度情報４１を含む。図３に示す例では、粒子濃度マップ４０は、パーセンテージで表された粒子計数位置３１における粒子数に対する各サブ領域４１における粒子濃度の偏差を示す相対粒子濃度情報４１を含む。例えば、サブ領域３４’に割り当てられた相対粒子濃度情報４１’の値「＋１５」は、サブ領域３４’における粒子濃度が粒子計数位置３１における粒子数よりも１５％高いことを意味する。
【００３７】
装置１０は、さらに、実際の位置３３が置かれるサブ領域４１を決定するためのサブ領域決定ユニット１３を備え、この例では、実際の位置３３はサブ領域３４’である。この目的のために、実施形態において、装置１０及び／又はユーザ入力２３によって取得又は受信した実際の位置を示すＧＰＳデータ２２を使用して、実際の位置を決定し、サブ領域３４’を決定することができる。
【００３８】
装置１０は、さらに、決定されたサブ領域３４’の相対粒子濃度情報４１’及び受信した粒子数情報２１（粒子計数位置３１で最近取得された）に基づいて、実際の位置３３における局所粒子濃度２４を決定するための粒子濃度決定ユニット１４を備える。この例では、受信した粒子数情報２１に１．１５を掛けて、局所粒子濃度２４を得る。
【００３９】
別の実施形態では、装置１０（すなわち、図７に示されるユーザ装置２の実施形態）に関して上述したのと同じステップは、遠隔装置３、例えば、クラウド内のサーバによって実行されてもよく、すなわち、装置１０は、遠隔装置３を表してもよい。この目的のために、ユーザ装置２０は、その実際の位置を遠隔装置３に送信し、次いで、ユーザ装置２の実際の位置における粒子濃度を推定するステップを実行し、その結果をユーザ装置２に送り返す。
【００４０】
さらに別の実施形態では、ユーザ装置２は装置１０を表し、遠隔装置３から実際の粒子濃度マップを得て、ユーザ装置２の位置における粒子濃度を推定する。
【００４１】
図４は、図３に示す粒子濃度マップ４０に基づいて、種々のサブ領域３４における局所粒子濃度の実測値５１で満たした領域３０のマップ５０を示す。これらの実際の値は、ベンチマーク位置（すなわち、粒子計数位置３１）のレベル５２が１００である時間に導出される。このレベル５２に、図３に示す粒子濃度マップ４０のパーセンテージ値４１を適用すると、局所粒子濃度の実際の値５１が得られる。例えば、サブ領域３４’については、局所粒子濃度５１’について、実際の値１１５（＝１００×１１５％）が得られる。
【００４２】
また、図３に示すように、粒子濃度マップ４０におけるパーセンテージ値を相対粒子濃度情報４１として提供する代わりに、別の実施形態において、各サブ領域３４に対する粒子濃度マップの実測値を相対粒子濃度情報として提供する。これらの実際の値は、受信した粒子数情報にどれだけ加算又は減算するかを絶対値で示す（例えば、＋２０の実際の値は、粒子計数位置で取得された受信した粒子数情報の絶対値に２０の絶対値を加算しなければならないことを意味する）。
【００４３】
上述の実施形態では、単一粒子計数位置３１における最近の粒子数及び粒子濃度マップ４０が、実際の位置３３における局所粒子濃度２４を決定するために使用される。他の実施形態において、２つ以上の粒子計数位置３１、３２における２つ以上の最近の粒子数を使用してもよい。この場合、粒子濃度マップ４０’は、図５に示すように、サブ領域３４ごとに２つ以上の相対粒子濃度情報値４１、４２を含み、各粒子計数位置における粒子数に対するサブ領域における粒子濃度を示す、粒子計数位置ごとに１個を含んでもよい。言い換えれば、相対粒子濃度情報値４１は粒子計数位置３１に関連し、相対粒子濃度情報値４２は粒子計数位置３２に関する。例えば、サブ領域３４’に対して、＋１５の相対粒子濃度情報値４１’は、粒子計数位置３１における受信粒子数に１．１５（すなわち＋１５％）を乗じる必要があることを意味し、−２４の相対粒子濃度情報値４１’は、粒子計数位置３２における受信粒子数に０．８０（すなわち−２０％）を乗じる必要があることを意味する。
【００４４】
あるいは、２つ以上の別々の粒子濃度マップが、粒子計数位置ごとに１つ、使用されてもよい。
【００４５】
実際の位置３３における局所粒子濃度２４は、そのような実施形態において、粒子計数位置３１、３２ごとに、個々の粒子計数位置３１、３２に関して決定されたサブ領域３４の相対粒子濃度情報４１、４２のそれぞれに基づいて、受信した粒子数情報２１によって示される粒子数を外挿することにより、また、特に外挿された粒子数を平均化又は加重平均化することによって、外挿された粒子数を組み合わせることによって、決定されてもよい。例えば、粒子計数位置３１における受信粒子数が１００（図５に示す）で、粒子計数位置３２における受信粒子数が６０である場合、実際の位置３３における局所粒子濃度は１００×１．１５−６０×０．８０＝６７となる。
【００４６】
別の実施形態では、実際の位置３３における局所粒子濃度２４を決定するために、実際の位置３３に最も近い粒子計数位置３１における粒子数情報のみを使用してもよい。
【００４７】
粒子濃度マップは、好ましくは固定されないが、異なる時間、特に異なる週及び／又は日及び／又は時間に対する１年間の相対粒子濃度情報を含む。このことは、花粉の分布が経時的に、例えば年によって大きく変化するので、花粉濃度を決定する場合に特に有用である。さらに、粒子濃度マップに記録された値は、例えば、ユーザが収集した情報、移動式粒子計数装置などに基づいて連続して、経時的に更新され得る。
【００４８】
粒子濃度マップは、さらに、異なる種類の粒子、例えば、異なる種類の花粉についての相対粒子濃度情報を含み得る。
【００４９】
追加入力として、提案した装置及び方法は、例えば花粉カレンダーから粒子カレンダー情報を受信することができ、これは、時間当たりの種々の領域における典型的な粒子濃度を示す。次いで、この追加の入力は、実際の位置における局所粒子濃度を決定する際に、予測の精度をさらに改善するために考慮され得る。過去の花粉マップからのデータは、例えば、領域ごとの花粉数（特定の花粉タイプに対する）の加重平均を計算することによって、推定の精度又は信頼性を改善するために使用され得る。例えば、ユーザ装置（通常は監視ステーションよりも信頼性が低い）がシステムに値を送信する場合、この値は、同じ日のこの位置の過去の値と共に使用して、平均値を作成することができる。
【００５０】
本発明はまた、花粉カレンダーを活用するために使用され得る。いったん粒子濃度マップが利用可能になると、ベンチマーク位置が実際の数値／濃度を求めるために使用でき、花粉カレンダーを用いて、特定の時期／季節における各位置の花粉の種類を示すことができる。この方法と症状に基づく方法（ｓｙｍｐｔｏｍ−ｂａｓｅｄ  ｍｅｔｈｏｄ）は、交互に、又は一緒に使用することができる（症状に基づくアプローチは、花粉カレンダーが「ベンチマーク位置」から得られるので、より良好な空間分解能をもたらす）。
【００５１】
図６は、この例における遠隔装置３の実施形態を表す、花粉及び／又は微生物の濃度を示す領域の粒子濃度マップを生成又は改善するための装置６０の概略図を示す。装置６０は、実際の位置における粒子数を示す局所粒子数情報２５を測定及び／又は受信する（例えば、固定された監視ユニットから又はウェブサイトから）局所粒子数情報ユニット６１を含む。装置６０は、さらに、１つ以上の粒子計数位置３１、３２における最近の粒子数を示す粒子数情報２１を受信するための、粒子数情報入力６２、例えば無線データ・インターフェースを含む。さらに、装置６０は、実際の位置３３を含む領域３０の粒子濃度マップ４０（又は４０’）を生成又は改善するための粒子濃度マップ処理ユニット６３を含む。粒子濃度マップ４０（又は４０’）は、これによって、局所粒子数情報２５及び受信した粒子数情報２１に基づいて生成又は改善され、改善された粒子濃度マップ４０’’となる。
【００５２】
さらに、実施形態において、１つ以上のさらなる位置における粒子数を示すさらなる局所粒子数情報２６を測定及び／又は受信してもよい。更なる局所粒子数情報は、局所粒子数情報２６のそれぞれの測定の位置を示す位置情報を含み、さらに、粒子濃度マップ４０（又は４０’）の生成及び／又は改善に使用することができる。さらなる局所粒子数情報は、例えば、ユーザによって着用されるウェアラブル・センサ又は例えば、領域全体に分散するアパート、バルコニー、又は庭園などの固定されたセンサによって取得されてもよい。
【００５３】
本発明のこの態様によれば、特定の濃度マップにおける実際の位置の値を生成するために、ある時点で実際の位置における濃度の測定を行うことが要求される。測定は、ユーザのコミュニティによって行われ、マップの継続的な改善につながる（時間の経過に伴い、各位置についてより多くのデータが入ってくると、その値は統計的に扱うことができ、最も単純なケースでは、各位置についての測定値が増加する）。
【００５４】
別の実施形態によれば、粒子濃度マップは、全領域、例えば都市全体の初期マッピングとして作成することができる。監視車両（グーグル・マップ・カーに類似）は、領域、例えば市内を走行して局所粒子数情報を収集する。花粉測定を得るためには、局所粒子数を決定するために、一定時間、例えば６０分間、各サブ領域に留まる必要がある。次に、得られた局所粒子数情報をベンチマーク位置の数と比較して相対値を得て、相対値を対応する位置の座標と共に記憶する。これが領域全体（都市）に対して行われると、得られたデータベースが粒子濃度マップの基礎となる。これで、将来のどの時点においても、ユーザは、自分の位置データと共に要求をサーバに送信することができ（粒子数情報を送信する必要はなく）、サーバは、現在のベンチマーク位置濃度と記憶された相対粒子濃度マップに基づいて、ユーザの位置における現在の濃度を決定し、その結果をユーザに送り返す。
【００５５】
装置１０及び６０の各々は、ハード及び／又はソフトウェア、例えば、スマートフォン、タブレット、ラップトップ、スマート・ウォッチ等の電子ユーザ装置上で動作するアプリケーション・プログラムとして実装されてもよい。両方の装置はまた、単一の装置に結合されてもよく、例えば、単一のアプリケーション・プログラムは、装置１０及び６０に実装される異なる方法を実行するように構成されてもよい。他の実施形態では、装置１０及び６０は、別個の装置であり、例えば、装置１０は、ユーザによって持ち運ばれるスマートフォンであってもよく、装置６０は、中央評価手段として使用されるコンピュータ又はサーバ、例えば、クラウド内であってもよい。
【００５６】
任意選択のサンプリングが停止される時点と共に、局所粒子数のサンプリングが開始される時点が捕捉されるように、装置及び方法は、構成することができる。これは、例えば、ユーザによる装置への手動入力によって、実行することができ、又は他の実施形態では、自動的に、例えば、装置又は局所測定ステーションが、新しいサンプリング・サイクルの開始及び停止のときを検出することを可能にする手段を有することができる。必要に応じて、ローカル測定ステーションと装置との間の通信のために対応する無線通信手段を備えてもよい。サンプリング開始イベントは、位置追跡（例えばＧＰＳ経由）を有効にすることができる。
【００５７】
一実施形態では、データ（例えば、花粉／微生物の量及び種類）が装置によってデジタル化されると直ちに、この情報は、対応する位置データと共に、装置によって記憶される。いったん十分なデータが収集され、（任意で）中央データベース又はサーバにアップロードされると、濃度マップが複数のユーザのデータを組み合わせて作成（又は改善）される。これは、空間分解能をさらに向上させるだけでなく、例えば、異なるユーザ間の重複に基づく都市レベル測定よりも高い／低い粒子の領域を特定するために使用することもできる。このアプローチのさらなる利点は、オーバーラップのあるすべての場所について、数人のユーザからのデータを使用して、測定の精度を高めることができることである（例えば、平均値及び標準偏差を用いる）。
【００５８】
現在、不確実性の尺度が利用可能であるため、この情報は個々のユーザに送り返され、単一ユーザの測定に適用される。その結果、このようにして得られた濃度に対して単一の値を持つ代わりに、この単一点測定に統計的情報を加えることができ、濃度範囲（ｃｏｎｃｅｎｔｒａｔｉｏｎ  ｒａｎｇｅ）又は信頼区間（ｃｏｎｆｉｄｅｎｃｅ  ｉｎｔｅｒｖａｌ）を提示することができる。この情報は、不確実性のレベルを反映するために、ユーザの装置によって実施された暴露評価にフィードバックすることもできる。
【００５９】
次いで、アプリケーションのユーザインターフェースは、このデータを使用して、より正確な濃度データ及びはるかに高い空間分解能を有する粒子濃度マップを示すことができる。例えば、喘息又は花粉アプリケーション・プログラム（「アプリ」）によって利用されて、どの領域（すなわち、装置及び方法によって決定される高濃度のホット・スポット領域）、歩行中、スポーツ中などに避けるように伝えることによって、人々のアレルゲン（ａｌｌｅｒｇｅｎｓ）への暴露を最小限に抑えるのを助けることができるので、このような詳細な地図は花粉にとって非常に価値がある。
【００６０】
本発明の別の態様は、領域、都市等の濃度プロファイル（又は地図）を含む。これは、装置及び方法によって決定された値と、公衆監視ステーションからの公表された値とを比較することによって行うことができる。従って、差分（デルタ）は、各場所について決定され、公表されたデータのパーセントで表される。これは、その後、同程度の空間分解能を維持するために、クラウドソーシング・データが少ない日中に使用されてもよい。このようなアプローチは、花粉の場合には特に理にかなっている。なぜなら、特定の領域は、中央監視ステーション（例えば、花、草、木がたくさんある公園）の花粉濃度よりも、常に高い花粉濃度によって特徴付けられる可能性が非常に高いからである。
【００６１】
さらに、ユーザが彼らの症状を入力した場合（例えば、３つのスマイリー顔の選択肢から選択）、症状は、特定の種類の粒子、及び上記に基づいて、位置に結びつけることができる。
【００６２】
提示されたアプローチは、特に、固定の発生源（ｓｏｕｒｃｅ）の位置があり、発生源の強度が幾分規定されているすべての粒子、特に汚染物質に適用可能である。例えば、花粉は、公園などの比較的固定された発生源に由来し、発生源の強さの差も、例えば、各場所の樹木の数、各公園の草地被覆面積の大きさなどによって決定されるため、一定である。
【００６３】
本発明は、例えば、空気清浄器、スマートフォンベースの花粉センサ、及び水／液体、空気及び表面の微生物学的純度のためのスマートフォンベースのセンサにおける花粉事前コンセントレータ（ｐｏｌｌｅｎ  ｐｒｅ−ｃｏｎｃｅｎｔｒａｔｏｒｓ）に適用することができる。本発明は、好ましくは、アプリケーション・プログラムのようなデジタル・ソリューションとして実装されてもよい。いくつかの実施形態は、空間分解能の更なる増加、精度の向上、及び精度のためのインジケータの提供のような多くの追加の利点を実現するために、クラウドソーシングに基づく花粉及び／又は微生物の測定（花粉の種類を含む）及びサンプリングの間に取得された対応する位置データを利用する。いったん利用可能になると、そのようなデータは、例えば、トリガ回避のためのユーザの貴重な情報を提供することによって、喘息及びアレルギー管理のための既存及び将来のアプリケーション・プログラムを改善するために利用することができる。
【００６４】
本発明の考えの一つは、粒子濃度マップが作成され、ユーザのコミュニティによって常に更新される、すなわち、粒子濃度マップは、特定のユーザから来る各新しいデータ点をベンチマーク位置と比較し、実際の位置における相対値を作成／更新することによって、継続的に改善される、すなわちこの比較に基づいて、粒子濃度マップが作成／更新されることである。位置ごとの相対値を含む対応するデータベースは、好ましくは、サーバに記憶され、ここで、新しい測定値がユーザから来るたびに更新される。この場合、粒子濃度マップの作成（及び／又は更新）と実際の位置での濃度の決定が同時に行われることがある。
【００６５】
現実のシナリオでは、これはほとんどの場合難しい。ユーザが固定された場所に長時間、例えば、１時間滞在せずに、歩行／移動し、常にその位置を変える場合は、現行の花粉センサ（たとえ専用のセンサでも）は、リアルタイム・データを提供しないので、これは困難である。従って、ユーザが移動している場合、ユーザは、マップ生成に実際に寄与することなく、各新しい位置でサーバにアクセスし、その位置で更新された濃度を瞬時に受信することができる。従って、本発明は、任意の位置における花粉濃度を任意の時点で決定することを可能にし、これは既知の解決策と比較して重要な利点の１つである
【００６６】
本発明は、図面及び上述の説明において詳細に図示及び説明されてきたが、かかる図示及び説明は、実例又は解説のためのものとみなされるべきであり、限定されるものではなく、本発明は、開示された実施形態に限定されない。開示された実施形態に対する他の変形例は、図面、開示、及び添付の特許請求の範囲の研究から、請求された発明を実施する当業者によって理解され、達成され得る。
【００６７】
請求項において、「含む（ｃｏｍｐｒｉｓｉｎｇ）」という語は、他の要素又はステップを排除せず、また、不定冠詞「一つの（ａ）」又は「一つの（ａｎ）」は、複数の要素を排除しない。単一の要素又はその他のユニットは、請求項に記載されたいくつかの項目の機能を果たすことができる。特定の手段が相互に異なる従属請求項に記載されているという単なる事実は、これらの手段の組み合わせを有利に利用することができないことを示していない。
【００６８】
コンピュータ・プログラムは、他のハードウェアと共に又はその一部として供給される光学記憶媒体又は固体媒体のような適切な非一時的媒体上に記憶／配布されてもよいが、インターネット又は他の有線又は無線通信システムを介して他の形式で配布されてもよい。
【００６９】
請求項中の参照符号は、範囲を限定するものと解釈してはならない。
【図１】
2020503529.tif 000003
【図２】
2020503529.tif 000004
【図３】
2020503529.tif 000005
【図４】
2020503529.tif 000006
【図５】
2020503529.tif 000007
【図６】
2020503529.tif 000008
【図７】
2020503529.tif 000009
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
ユーザ装置の実際の位置における花粉及び／又は微生物の局所濃度を示す局所粒子濃度を推定する方法であって、
１つ以上のベンチマーク位置として機能する１つ以上の粒子計数位置における最近の粒子数を示す粒子数情報を受信することと、
前記実際の位置を含む領域の粒子濃度マップを受信又は生成することであって、前記粒子濃度マップは、前記領域の複数のサブ領域のサブ領域ごとの前記１つ以上の粒子計数位置における粒子数に対する前記サブ領域における前記粒子濃度を示す相対粒子濃度情報を含む、受信又は生成することと、
前記実際の位置が置かれた前記サブ領域を決定することと、
前記受信した粒子数情報に関して前記決定されたサブ領域の前記相対粒子濃度情報に基づいて、前記実際の位置における前記局所粒子濃度を決定することと、
を含む、方法。
【請求項２】
前記実際の位置における前記局所粒子濃度は、前記決定されたサブ領域の前記相対粒子濃度情報及び前記実際の位置に最も近い前記粒子計数位置における前記受信した粒子数情報に基づいて決定される、請求項１に記載の方法。
【請求項３】
前記実際の位置における前記局所粒子濃度は、前記決定されたサブ領域の前記相対粒子濃度情報に基づいて、前記実際の位置に最も近い前記粒子計数位置において前記受信した粒子数情報によって示される前記粒子数を外挿することにより決定される、請求項２に記載の方法。
【請求項４】
前記実際の位置における前記局所粒子濃度は、前記決定されたサブ領域の前記相対粒子濃度情報及び前記実際の位置に最も近い２つ以上の粒子計数位置における前記受信した粒子数情報に基づいて決定される、請求項１に記載の方法。
【請求項５】
前記実際の位置における前記局所粒子濃度は、前記粒子計数位置のそれぞれに関して、前記決定されたサブ領域の前記相対粒子濃度情報それぞれに基づいて、粒子計数位置ごとに、前記受信した粒子数情報によって示される前記粒子数を外挿し、前記外挿された粒子数を平均化、特に、前記外挿された粒子数を平均化又は加重平均化することによって、決定される、請求項４に記載の方法。
【請求項６】
前記粒子濃度マップは、前記領域の複数のサブ領域のサブ領域ごとに、１つ以上の粒子計数位置における粒子数からの、前記サブ領域における前記粒子濃度の絶対的又は相対的な偏差を示す相対粒子濃度情報を含む、請求項１に記載の方法。
【請求項７】
前記粒子濃度マップは、年にわたる異なる時間、特に異なる週及び／又は日及び／又は時間に対する相対粒子濃度情報を含む、請求項１に記載の方法。
【請求項８】
前記粒子濃度マップは、異なる種類の粒子に対する相対粒子濃度情報を含む、請求項１に記載の方法。
【請求項９】
時間当たりの種々の領域における典型的な粒子濃度を示す粒子カレンダー情報を受信することをさらに含み、
前記実際の位置における前記局所粒子濃度は、前記決定されたサブ領域の前記相対粒子濃度情報、前記受信した粒子数情報及び前記決定されたサブ領域における前記受信した粒子カレンダー情報に基づいて決定される、請求項１に記載の方法。
【請求項１０】
前記実際の位置における前記粒子数を示す局所粒子数情報を測定又は受信することをさらに含み、
前記粒子濃度マップは、前記局所粒子数情報及び１つ以上の粒子計数位置における最近の粒子数を示す前記受信した粒子数情報に基づいて生成又は改善され、請求項１に記載の方法。
【請求項１１】
花粉及び／又は微生物の濃度を示す領域の粒子濃度マップを生成又は改善する方法であって、
ユーザ装置の実際の位置における粒子数を示す局所粒子数情報を測定及び／又は受信することと、
１つ以上のベンチマーク位置として機能する１つ以上の粒子計数位置における最近の粒子数を示す粒子数情報を受信することと、
前記実際の位置を含む領域の粒子濃度マップを生成又は改善することであって、前記粒子濃度マップは、前記領域の複数のサブ領域のサブ領域ごとに、１つ以上の粒子計数位置における粒子数に対する前記サブ領域における前記粒子濃度を示す相対粒子濃度情報を含み、前記粒子濃度マップは、前記受信した粒子数情報に関して前記局所粒子数情報に基づいて生成又は改善される、生成又は改善することと、
を含む、方法。
【請求項１２】
１つ以上のさらなる位置における前記粒子数を示すさらなる局所粒子数情報が測定及び／又は受信されることであって、前記さらなる局所粒子数情報は、前記局所粒子数情報のそれぞれの測定の前記位置を示す位置情報を含み、前記さらなる局所粒子数情報は、前記粒子濃度マップの作成及び／又は改善に使用される、請求項１１に記載の方法。
【請求項１３】
ユーザ装置の実際の位置における花粉及び／又は微生物の局所濃度を示す局所粒子濃度を推定するための装置であって、
１つ以上のベンチマーク位置として機能する１つ以上の粒子計数位置における最近の粒子数を示す粒子数情報を受信するための粒子数情報入力と、
前記実際の位置を含む領域の粒子濃度マップを受信又は生成するための粒子濃度マップ・ユニットであって、前記粒子濃度マップは、前記領域の複数のサブ領域のサブ領域ごとの、１つ以上の粒子計数位置における粒子数に対する前記サブ領域における前記粒子濃度を示す相対粒子濃度情報を含む、粒子濃度マップ・ユニットと、
前記実際の位置が置かれる前記サブ領域を決定するためのサブ領域決定ユニットと、
前記受信した粒子数情報に関して前記決定されたサブ領域の前記相対粒子濃度情報に基づいて、前記実際の位置における前記局所粒子濃度を決定する粒子濃度決定ユニットと、
を含む装置。
【請求項１４】
花粉及び／又は微生物の濃度を示す領域の粒子濃度マップを作成又は改善するための装置であって、
ユーザ装置の実際の位置における粒子数を示す局所粒子数情報を測定及び／又は受信するための局所粒子数情報ユニットと、
１つ以上のベンチマーク位置として機能する１つ以上の粒子計数位置における最近の粒子数を示す粒子数情報を受信するための粒子数情報入力と、
前記実際の位置を含む領域の粒子濃度マップを作成又は改善するための粒子濃度マップ処理ユニットであって、前記粒子濃度マップは、前記領域の複数のサブ領域のサブ領域ごとの、１つ以上の粒子計数位置における粒子数に対する前記サブ領域における前記粒子濃度を示す相対粒子濃度情報を含み、前記粒子濃度マップは、前記受信した粒子数情報に関して前記局所粒子数情報に基づいて生成又は改善される、粒子濃度マップ処理ユニットと、
を含む装置。
【請求項１５】
コンピュータ・プログラムがコンピュータ上で実行されるとき、前記コンピュータに請求項１又は１１に記載の方法のステップを実行させるプログラム・コード手段を備える、コンピュータ・プログラム。
【国際調査報告】
2020503529.tif 000010
2020503529.tif 000011